(57)【要約】【課題】本発明は、ドーム型天井に設置する場合でも、点検口からの、換気ユニットの取り付けや、換気ユニットのメンテナンスが行いやすい浴室暖房乾燥機及び浴室暖房乾燥機の取付構造を提案する。【解決手段】本発明の浴室暖房乾燥機１００は、浴室の天井に設置される暖房乾燥機本体２と、暖房乾燥機本体２の側面７に接続される接続具３と、接続具３を介して暖房乾燥機本体２に接続され、暖房乾燥機本体２を通じて浴室１内の空気を換気する換気ユニット４とを備える。接続具３は、暖房乾燥機本体２の側面７に接続される第一接続面３００と、換気ユニット４に接続される第二接続面３０１とを有する。第二接続面３０１は、下側ほど暖房乾燥機本体２から離れるように傾斜した傾斜面であり、換気ユニット４は、接続具３に支持されて、先端側が持ち上げられた姿勢で保持される。【選択図】図１
2015183949.tif 000002
【特許請求の範囲】
【請求項１】
浴室の天井に設置される暖房乾燥機本体と、
前記暖房乾燥機本体の側面に接続される接続具と、
前記接続具を介して前記暖房乾燥機本体に接続され、前記暖房乾燥機本体を通じて前記浴室内の空気を換気する換気ユニットとを備え、
前記接続具は、
前記暖房乾燥機本体の前記側面に接続される第一接続面と、
前記換気ユニットに接続される第二接続面とを有し、
前記第二接続面は、下側ほど前記暖房乾燥機本体から離れるように傾斜した傾斜面であり、
前記換気ユニットは、前記接続具に支持されて、先端側が持ち上げられた姿勢で保持されることを特徴とする浴室暖房乾燥機。
【請求項２】
前記第二接続面の上端部は、平面視にて前記暖房乾燥機本体の一部と重なる位置にあることを特徴とする請求項１に記載の浴室暖房乾燥機。
【請求項３】
浴室天井と、
前記浴室天井に取り付けられる浴室暖房乾燥機と、を備え、
前記浴室天井は、平坦な取付部と、上方に膨らんだドーム部とを有し、
前記ドーム部には、点検口が設けられ、
前記浴室暖房乾燥機は、
前記取付部に取り付けられる暖房乾燥機本体と、
前記暖房乾燥機本体のうち前記点検口に近い側の側面に接続される接続具と、
前記接続具を介して前記暖房乾燥機本体に接続され、前記暖房乾燥機本体を通じて前記浴室内の空気を換気する換気ユニットとを有し、
前記接続具は、
前記暖房乾燥機本体に接続される第一接続面と、
前記換気ユニットに接続される第二接続面とを有し、
前記第二接続面は、前記点検口側を向き、且つ下側ほど前記暖房乾燥機本体から離れるように傾斜した傾斜面であり、
前記換気ユニットは、前記接続具に支持されて、先端側が持ち上げられた姿勢で保持されることを特徴とする浴室暖房乾燥機の取付構造。
【発明の詳細な説明】
【技術分野】
【０００１】
本発明は、浴室暖房乾燥機及び浴室暖房乾燥機の取付構造に関し、詳しくは、浴室の天井に設置される浴室暖房乾燥機及び浴室暖房乾燥機の取付構造に関する。
【背景技術】
【０００２】
特許文献１には、浴室の天井に設置される乾燥機本体と、この乾燥機本体に接続されて浴室の空気を換気する換気ユニットとを備える浴室暖房乾燥機が開示されている。
【０００３】
乾燥機本体には、天井の点検口に近い側の側面と、天面とに、換気ユニットが接続される接続口が設けられている。
【０００４】
特許文献１の浴室暖房乾燥機は、平坦な通常の天井に設置する場合には、乾燥機本体の側面の接続口に換気ユニットが接続され、一部が上方に膨らんだドーム型天井に設置する場合には、乾燥機本体の天面の接続口に換気ユニットが接続される。このようにして、特許文献１の浴室暖房乾燥機は、ドーム部分を避けて、換気ユニットを乾燥機本体に接続することができる。
【先行技術文献】
【特許文献】
【０００５】
【特許文献１】特開２０１０−２７６２９０号公報
【発明の概要】
【発明が解決しようとする課題】
【０００６】
特許文献１の浴室暖房乾燥機は、ドーム型天井に設置する場合には、乾燥機本体の天面の接続口に換気ユニットを接続するため、天井の点検口から接続口までの距離が遠くて、点検口からの換気ユニットの接続口への取り付けや、点検口からの換気ユニットのメンテナンスが行いにくいといった問題があった。
【０００７】
上記事情を鑑みて、本発明は、ドーム型天井に設置する場合でも、点検口からの、換気ユニットの取り付けや、換気ユニットのメンテナンスが行いやすい浴室天井暖房乾燥機及び浴室天井暖房乾燥機の取付構造を提案することを課題とする。
【課題を解決するための手段】
【０００８】
上記課題を解決するために本発明の浴室暖房乾燥機は、浴室の天井に設置される暖房乾燥機本体と、前記暖房乾燥機本体の側面に接続される接続具と、前記接続具を介して前記暖房乾燥機本体に接続され、前記暖房乾燥機本体を通じて前記浴室内の空気を換気する換気ユニットとを備え、前記接続具は、前記暖房乾燥機本体の前記側面に接続される第一接続面と、前記換気ユニットに接続される第二接続面とを有し、前記第二接続面は、下側ほど前記暖房乾燥機本体から離れるように傾斜した傾斜面であり、前記換気ユニットは、前記接続具に支持されて先端側が持ち上げられた姿勢で保持されることを特徴とする。
【０００９】
また、前記第二接続面の上端部は、平面視にて前記暖房乾燥機本体の一部と重なる位置にあることが好ましい。
【００１０】
また、上記課題を解決するために本発明の浴室暖房乾燥機の取付構造は、浴室天井と、前記浴室天井に取り付けられる浴室暖房乾燥機と、を備え、前記浴室天井は、平坦な取付部と、上方に膨らんだドーム部とを有し、前記ドーム部には、点検口が設けられ、前記浴室暖房乾燥機は、前記取付部に取り付けられる暖房乾燥機本体と、前記暖房乾燥機本体のうち前記点検口に近い側の側面に接続される接続具と、前記接続具を介して前記暖房乾燥機本体に接続され、前記暖房乾燥機本体を通じて前記浴室内の空気を換気する換気ユニットとを有し、前記接続具は、前記暖房乾燥機本体に接続される第一接続面と、前記換気ユニットに接続される第二接続面とを有し、前記第二接続面は、前記点検口側を向き、且つ下側ほど前記暖房乾燥機本体から離れるように傾斜した傾斜面であり、前記換気ユニットは、前記接続具に支持されて先端側が持ち上げられた姿勢で保持されることを特徴とする。
【発明の効果】
【００１１】
本発明の浴室暖房乾燥機は、暖房乾燥機本体の側面に接続具を介して換気ユニットが接続され、このとき、換気ユニットが接続具に支持されて先端側が持ち上げられた姿勢で保持されるようにしたことで、ドーム型天井に設置する場合に、換気ユニットを、暖房乾燥機本体のうち天井の点検口に近い側の側面に、上方に膨らんだドーム部を避けるようにして、接続することができる。これにより、本発明の浴室暖房乾燥機は、ドーム型天井に設置する場合でも、点検口から換気ユニットの接続先までの距離が近くなり、点検口からの、換気ユニットの取り付けや、換気ユニットのメンテナンスが行いやすくなっている。
【００１２】
また、本発明の浴室暖房乾燥機の取付構造では、暖房乾燥機本体のうち浴室天井の点検口に近い側の側面に、接続具を介して換気ユニットが接続され、このとき、換気ユニットが接続具に支持されて先端側が持ち上げられた姿勢で保持されるようにしたことで、浴室天井の上方に膨らんだドーム部を避けるようにして、換気ユニットを配置することができる。これにより、本発明の浴室暖房乾燥機の取付構造は、浴室天井の点検口からの、換気ユニットの接続先までの距離が近くて、点検口からの、換気ユニットの取り付けや、換気ユニットのメンテナンスが行いやすくなっている。
【図面の簡単な説明】
【００１３】
【図１】本発明の一実施形態の浴室暖房乾燥機を示す縦断面図である。
【図２】同上の浴室暖房乾燥機の内部の配管を説明する管路図である。
【図３】同上の浴室暖房乾燥機を浴室に設置した状態の斜視図である。
【図４】同上の浴室暖房乾燥機の暖房乾燥機本体を示す斜視図である。
【図５】同上の暖房乾燥機本体にベース部材を取り付けた状態を示す斜視図である。
【図６】同上の暖房乾燥機本体にベース部材と接続具を介して換気ユニットを接続した状態を示す斜視図である。
【図７】同上の暖房乾燥機本体にベース部材と接続具を介して換気ユニットを接続した状態を示す斜視図であり、図６とは別の角度から視た図である。
【図８】同上の暖房乾燥機本体にベース部材と接続具を介して換気ユニットを接続した状態を示す斜視図であり、図６及び図７とは別の角度から視た図である。
【図９】同上の暖房乾燥機本体にベース部材と接続具を介して換気ユニットを接続した状態を示す側面図である。
【図１０】同上の浴室暖房乾燥機を浴室天井に設置した状態の側断面図である。
【発明を実施するための形態】
【００１４】
以下、本発明の実施形態について添付図面に基づいて説明する。
【００１５】
図１〜図３に示すように、本発明の一実施形態の浴室暖房乾燥機１００は、ユニットバスのような浴室１に設置されるミスト機能付浴室暖房乾燥機である。浴室暖房乾燥機１００は、浴室１内の暖房をしたり、浴室１内を換気したり、浴室１内を乾燥したり、浴室１内に干した洗濯物を乾燥したり、浴室１内に涼風を送風したり、浴室１内に温水のミストを噴霧して使用者にミスト浴をさせたり、浴室１内に温水のミストを噴霧すると共に温風を吹き出して使用者にミストサウナ浴をさせたりする機能を有する。
【００１６】
浴室暖房乾燥機１００は、図３に示すように、浴槽１０の上方の位置で浴室１の天井１１に設置される。以下では、図３に示す状態を基準として、浴槽１０の長手方向を前後方向とし、浴槽１０の短手方向を左右方向として、各構成について説明する。つまり、図３の矢印Ｘ１で示す方向が前方向であり、その逆方向が後方向であり、矢印Ｙ１で示す方向が右方向であり、その逆方向が左方向であり、矢印Ｚ１で示す方向が上方向であり、その逆方向が下方向である。
【００１７】
本実施形態の浴室暖房乾燥機１００の取付構造では、天井１１は、図３及び図１０に示すように、ハーフドーム天井であり、浴槽１０の上方に位置する平坦な取付部１１０と、取付部の右隣に位置する上方に膨らんだドーム部１１１とを有する。取付部１１０には、暖房乾燥機本体２が配される開口１２が設けられ、ドーム部１１１には、最も膨らんだ上端部分に、点検口１３が設けられる。点検口１３には、蓋１４が着脱自在に取り付けられている。
【００１８】
浴室暖房乾燥機１００は、暖房乾燥機本体２と、暖房乾燥機本体２の点検口１３に近い側の側面７に接続される接続具３と、この接続具３を介して暖房乾燥機本体２の側面７に接続され、暖房乾燥機本体２を通じて浴室１内の空気を換気する換気ユニット４とを備える。暖房乾燥機本体２の側面７には、図１及び図４に示すように、接続口７０が設けられている。接続口７０は、暖房乾燥機本体２の外殻を内外に貫通する孔であり、後述する換気用風路１１４に連通している。
【００１９】
暖房乾燥機本体２は、図３に示すように、下面を開口１２に臨ませた状態で、取付部１１０の天井裏に配置される。暖房乾燥機本体２は、例えば、吊り金具１５によって天井スラブ等に吊り支持される。暖房乾燥機本体２の下面には、開口１２を覆うように、グリル板１６が取り付けられる（図１０等参照）。
【００２０】
暖房乾燥機本体２は、図１乃至図３に示すように、矩形箱状であり、温風用熱交換器２０や浴室内循環ファン２１が内装されている。温風用熱交換器２０は、内部に温水が循環され、暖房乾燥機本体２内に吸い込まれた空気との間で熱交換を行って、その空気を加熱する。
【００２１】
温風用熱交換器２０は、暖房乾燥機本体２に配管された暖房用温水管路２２の途中に配置される。暖房用温水管路２２には、給湯暖房機のような熱源機２３（図３参照）から温水が供給される。また、暖房用温水管路２２の途中には、温風用熱交換器２０への温水の供給の有無を開閉により切り替える弁２４や、暖房用温水管路２２を流れる温水の温度を検出する暖房温水サーミスタＴＨ１が配置される。また、暖房用温水管路２２の途中には、ミスト加熱用管路２５が接続され、ミスト加熱用管路２５の途中には、比例弁２６が配される。
【００２２】
浴室内循環ファン２１は、浴室１内の空気を暖房乾燥機本体２内に吸い込み、暖房乾燥機本体２内の空気を浴室１へと吹き出す。暖房乾燥機本体２の下面側には、浴室内循環ファン２１で送風される空気を吹き出す吹き出し口１７が設けられ、この吹き出し口１７には、可動ルーバー１８が回転自在に装着されている。可動ルーバー１８は、回転することにより、吹き出し口１７を開閉したり、吹き出し口１７から吹き出す風向を変えることができる。グリル板１６には浴室１内に空気を吸い込む吸い込み口１９が設けられ、この吸い込み口１９の近傍に浴室温度サーミスタＴＨ２が配置されている。
【００２３】
また、暖房乾燥機本体２には、ミスト浴の機能を持たせるためのミスト発生部２７が組み込まれている。ミスト発生部２７は、ミスト用給水管路２７０、ストレーナ２７１、給水電磁弁２７２、ミスト用熱交換器２７３、ミスト温度サーミスタＴＨ３、ミスト開閉弁２７４、ミストノズル２７５等を有する。なお、ミスト発生部２７に関する詳しい説明については省略する。
【００２４】
換気ユニット４は、図１、図３及び図６に示すように、暖房乾燥機本体２の接続口７０に連通させる吸込み口４０と、接続具３に固定されるフランジ４１と、換気ファン４２と、外部のダクト１１２に接続される排出口４３とを備える。換気ファン４２は、接続具３と暖房乾燥機本体２を通じて、浴室１内の空気を吸い込み、吸い込んだ空気を、ダクト１１２を通じて屋外へ排出する。なお、図１中の符号４４は、逆風止めである。
【００２５】
浴室暖房乾燥機１００は、浴室１外の脱衣所に設けた操作器５や浴室１内に設けた操作器６によってリモコン操作される。脱衣所用の操作器５には、タイマー表示部、タイマー設定スイッチ、風向スイッチ、ミストサウナスイッチ、乾燥スイッチ、暖房スイッチ、涼風スイッチ、換気スイッチ、停止スイッチ等が設けられている。浴室用の操作器６には、状態表示部、ミストサウナスイッチ、ミストスイッチ、温度設定スイッチ、暖房スイッチ、涼風スイッチ、風向スイッチ、ミスト入浴時間のストップウォッチのスタート／ストップスイッチ、リセットスイッチ、停止スイッチ等が設けられている。
【００２６】
暖房乾燥機本体２内には、浴室内循環ファン２１によって吸い込まれた浴室１内の空気を、温風用熱交換器２０で暖めて、浴室１へと吹き出す循環用風路１１３と、換気ファン４２によって吸い込まれた浴室１内の空気を換気ユニット４へ導入する換気用風路１１４とが、別々に形成される。換気用風路１１４には、湿度検出手段２８が配されている。
【００２７】
続いて、本実施形態の浴室暖房乾燥機１００の特徴的な構造について更に詳しく説明する。
【００２８】
本実施形態では、換気ユニット４は、接続具３を介して、暖房乾燥機本体２の側面７に接続される。接続具３は、図９に示すように、暖房乾燥機本体２の側面７に接続される第一接続面３００と、換気ユニット４に接続される第二接続面３０１とを有する。第二接続面３０１は、点検口１３側を向き、且つ下側ほど暖房乾燥機本体２から離れるように傾斜した傾斜面である。そのため、換気ユニット４は、接続具３の第二接続面３０１に接続された状態で、接続具３によって支持されて、先端側（右端側）が持ち上げられた姿勢で保持される。これにより、本実施形態の浴室暖房乾燥機１００は、図１０に示すように、暖房乾燥機本体２の点検口１３に近い側の側面７に、ドーム部１１１を避けて、換気ユニット４を設置することができる。
【００２９】
詳しくは、図４乃至図１０に示すように、接続具３は、側面７のうち接続口７０の周縁部にねじ等の固定具８０で取り付けられる板状のベース体３０と、このベース体３０にねじ等の固定具８１で取り付けられる筒状の連結体３１とを有する。連結体３１は、換気ユニット４を先端側（右端側）が持ち上げられた姿勢に維持するためのものである。
【００３０】
ベース体３０は、図５に示すように、暖房乾燥機本体２の側面７と平行に配されて、側面７に固定される矩形枠状の枠部３２と、枠部３２の上端から斜め上方（左上方向）に突出した傾斜部３３とを有する。傾斜部３３は、枠部３２が暖房乾燥機本体２の側面７に固定された状態で、暖房乾燥機本体２の上方に位置する。ベース体３０の側面７への固定は、暖房乾燥機本体２を取付部１１０に設置した後に行ってもよいし、暖房乾燥機本体２を取付部１１０に設置する前に行ってもよい。
【００３１】
枠部３２には、接続口７０に対応した矩形状の開口３４が中央部に設けられている。枠部３２は、４つの隅部にそれぞれ、固定具８０が打ち込まれることによって、暖房乾燥機本体２の側面７の接続口７０の周縁部に固定される。
【００３２】
枠部３２の下部の前後の端部にはそれぞれ、連結体３１を下方から支持して連結体３１の下方への移動を規制する支持部３５が設けられている。支持部３５は、略Ｌ字状であり、枠部３２から斜め下方（右下方向）に突出した上片部３５０と、上片部３５０の下端から斜め上方（右上方向）に突出する下片部３５１とを有する。上片部３５０には、固定具８１が打ち込まれる孔が設けられている。傾斜部３３の上端部には、斜め下方（右下方向）に向けて開口した係止用凹部３６が設けられている。係止用凹部３６は、傾斜部３３の上端部に、前後に離れて２つ形成されている。係止用凹部３６は、支持部３５よりも上方に位置する。
【００３３】
連結体３１は、図６乃至図９に示すように、係止用凹部３６に差し込まれて係止される係止部３７と、支持部３５によって支持される筒状部３８とを一体に有する。係止部３７は、矩形板状である。筒状部３８は、略直角三角形板状の前後一対の前壁３８０及び後壁３８１と、前壁３８０の下端部と後壁３８１の下端部に連続する矩形板状の下壁３８２とで構成される。前壁３８０と後壁３８１の左下端部からは、支持部３５に載置されるフランジ３９が筒外側に向けて突出している。つまり、前壁３８０の左下端部からは、フランジ３９が前方に向けて突出しており、後壁３８１の左下端部からは、フランジ３９が後方に向けて突出している。図９に示すように、係止部３７の右面３７０と筒状部３８の右面３８３（つまり、前壁３８０、後壁３８１及び下壁３８２の右面）とは、同一平面上に位置し、係止部３７の左面３７１に対して筒状部３８の左面３８４は傾斜している。
【００３４】
連結体３１は、係止用凹部３６に係止部３７を下方から差し込んで、支持部３５にフランジ３９を載せることで、ベース体３０に仮止めされる。このとき、フランジ３９は、支持部３５の上片部３５０に重ねられ、下片部３５１によって支持される。この仮止め状態で、係止用凹部３６によって連結体３１の上方への移動と、連結体３１の上端部の、ベース体３０から離れる方向への移動が規制され、支持部３５によって連結体３１の下方への移動が規制される。
【００３５】
そして、連結体３１は、固定具８１を斜め上方（右上方向）から各フランジ３９に打ち込むことで、各フランジ３９が支持部３５の上片部３５０に固定されて、ベース体３０に本固定される。このとき、連結体３１は、係止部３７の左面３７１が傾斜部３３の右面に重なり、筒状部３８の左面３８４が枠部３２の右面に重なって、ベース体３０に密着した状態で固定される。
【００３６】
なお、上述した暖房乾燥機本体２の側面７に接続される第一接続面３００は、本実施形態では、ベース体３０の枠部３２の左面３２０で構成され、換気ユニット４に接続される第二接続面３０１は、連結体３１の係止部３７の右面３７０と筒状部３８の右面３８３とで構成される。
【００３７】
換気ユニット４は、吸い込み口４０が筒状部３８に連通するようにフランジ４１が連結体３１の右面に重ねられて、ねじ等の固定具８２によってフランジ４１の４つの隅部がそれぞれ連結体３１に固定される。ここで、フランジ４１への固定具８２の打ち込みも、斜め上方から行うことができる。換気ユニット４は、連結体３１に固定された状態で、フランジ４１の上端部が係止用凹部３６に差し込まれて、連結体３１の係止部３７とともに係止用凹部３６に係止される。
【００３８】
連結体３１に固定された換気ユニット４は、連結体３１の右面（つまり、第二接続面３０１）の傾斜に合わせて、先端側（右端側）が持ち上げられた姿勢で保持される。これにより、本実施形態の浴室暖房乾燥機１００は、図１０に示すように、暖房乾燥機本体２の点検口１３に近い側の側面７に、ドーム部１１１を避けて、換気ユニット４を設置することができる。
【００３９】
また、本実施形態の浴室暖房乾燥機１００では、接続具３を、ベース体３０と、このベース体３０に仮止め可能な連結体３１とで構成したことで、連結体３１をベース体３０に仮止めした状態で、連結体３１をベース体３０に固定具８１で固定することができるため、連結体３１のベース体３０への固定施工を簡単に行うことができる。また、本実施形態の浴室暖房乾燥機１００では、連結体３１のベース体３０への固定を、斜め上方から行うことができるため、この施工を行うときに、ドーム部１１１がドライバー等の工具の操作の邪魔になりにくく、点検口１３からの連結体３１の固定施工が行いやすくなっている。
【００４０】
また、本実施形態の浴室暖房乾燥機１００では、フランジ３９を連結体３１の下端部の隅部にそれぞれ設けたことで、連結体３１や換気ユニット４がドライバー等の工具の操作の邪魔になりにくく、点検口１３からの連結体３１の固定施工が行いやすくなっている。
【００４１】
また、本実施形態の浴室暖房乾燥機１００では、換気ユニット４のフランジ４１の４つの隅部に固定具８２を打ち込んで連結体３１に固定するようにしたことで、換気ユニット４がドライバー等の工具の操作の邪魔になりにくく、点検口１３からの換気ユニット４の固定施工が行いやすくなっている。
【００４２】
また、本実施形態の浴室暖房乾燥機１００では、図９に示すように、第二接続面３０１の上端部は、平面視にて暖房乾燥機本体２の一部と重なる位置にある。言い換えると、ベース体３０の係止用凹部３６は、暖房乾燥機本体２の上方に位置する。そのため、本実施形態の浴室暖房乾燥機１００では、第二接続面３０１の上端部が、平面視にて暖房乾燥機本体２と重ならないように配置した場合に比べて、換気ユニット４の先端側（右端側）を上方に配置することができ、換気ユニット４とドーム部１１１との接触をより一層抑制することができる。
【００４３】
なお、上述した実施形態では、係止用凹部３６を暖房乾燥機本体２の上方に位置するように設けた例について説明したが、これに限定されない。例えば、係止用凹部３６を枠部３２の上端部に設けて、係止用凹部３６を暖房乾燥機本体２の側方（右方向）に位置するようにしてもよい。
【００４４】
また、上述した実施形態では、連結体３１のベース体３０への固定を、２本のねじを用いて行う例について説明したが、連結体３１のベース体３０への固定は、１本のねじで行ってもよいし、３本以上のねじで行ってもよい。また、連結体３１のベース体３０への固定は、ねじに限らず、他の固定手段によって行うようにしてもよい。
【００４５】
また、上述した実施形態では、連結体３１のベース体３０への固定や、換気ユニット４の連結体３１への固定を、斜め上方から打ち込むねじ等の固定具によって行う例について説明したが、水平方向に打ち込むねじ等の固定具によって行ってもよい。
【００４６】
以上まとめると、本発明の浴室暖房乾燥機は、上述した一実施形態の浴室暖房乾燥機１００のように、下記の構成を備えることを特徴とする。
【００４７】
すなわち、本発明の浴室暖房乾燥機は、浴室１の天井１１に設置される暖房乾燥機本体２と、暖房乾燥機本体２の側面７に接続される接続具３と、接続具３を介して暖房乾燥機本体２に接続され、暖房乾燥機本体２を通じて浴室１内の空気を換気する換気ユニット４とを備える。接続具３は、暖房乾燥機本体２の側面７に接続される第一接続面３００と、換気ユニット４に接続される第二接続面３０１とを有する。第二接続面３０１は、下側ほど暖房乾燥機本体２から離れるように傾斜した傾斜面である。換気ユニット４は、接続具３に支持されて、先端側が持ち上げられた姿勢で保持される。
【００４８】
以上のように本発明の浴室暖房乾燥機は、暖房乾燥機本体２の側面７に接続具３を介して換気ユニット４が接続され、このとき、換気ユニット４が接続具３に支持されて先端側が持ち上げられた姿勢で保持されるようにしている。そのため、本発明の浴室暖房乾燥機は、ドーム型天井に設置する場合に、換気ユニット４を、暖房乾燥機本体２のうち天井１１の点検口１３に近い側の側面７に、上方に膨らんだドーム部１１１を避けるようにして、接続することができる。これにより、本発明の浴室暖房乾燥機は、ドーム型天井に設置する場合でも、点検口１３から換気ユニット４の接続先までの距離が近くなり、点検口１３からの、換気ユニット４の取り付けや、換気ユニット４のメンテナンスが行いやすくなっている。
【００４９】
また、本発明の浴室暖房乾燥機は、上述した一実施形態の浴室暖房乾燥機１００のように、上記の構成に加えて更に、下記の構成を備えることが好ましい。
【００５０】
すなわち、本発明の浴室暖房乾燥機は、第二接続面３０１の上端部は、平面視にて暖房乾燥機本体２の一部と重なる位置にある。
【００５１】
以上のような構成とすることで、本発明の浴室暖房乾燥機は、ドーム型天井に設置する場合に、換気ユニット４をより上方に配置することができ、これにより、換気ユニット４を、暖房乾燥機本体２のうち点検口１３に近い側の側面７に、上方に膨らんだドーム部１１１を避けるようにして、接続することが更に容易となる。
【００５２】
また、本発明の浴室暖房乾燥機の取付構造は、上述した一実施形態の浴室暖房乾燥機１００の取付構造のように、下記の構成を備えることを特徴とする。
【００５３】
すなわち、本発明の浴室暖房乾燥機の取付構造は、浴室天井１１と、浴室天井１１に取り付けられる浴室暖房乾燥機１００と、を備える。浴室天井１１は、平坦な取付部１１０と、上方に膨らんだドーム部１１１とを有する。ドーム部１１１には、点検口１３が設けられる。浴室暖房乾燥機１００は、取付部１１０に取り付けられる暖房乾燥機本体２と、暖房乾燥機本体２のうち点検口１３に近い側の側面７に接続される接続具３と、接続具３を介して暖房乾燥機本体２に接続され、暖房乾燥機本体２を通じて浴室１内の空気を換気する換気ユニット４とを有する。接続具３は、暖房乾燥機本体２に接続される第一接続面３００と、換気ユニット４に接続される第二接続面３０１とを有する。第二接続面３０１は、点検口１３側を向き、且つ下側ほど暖房乾燥機本体２から離れるように傾斜した傾斜面である。換気ユニット４は、接続具３に支持されて、先端側が持ち上げられた姿勢で保持される。
【００５４】
以上のような構成とすることで、本発明の浴室暖房乾燥機の取付構造では、暖房乾燥機本体２のうち浴室天井１１の点検口１３に近い側の側面７に、接続具３を介して換気ユニット４が接続され、このとき、換気ユニット４が接続具３に支持されて先端側が持ち上げられた姿勢で保持される。そのため、本発明の浴室暖房乾燥機の取付構造では、浴室天井１１の上方に膨らんだドーム部１１１を避けるようにして、換気ユニット４を配置することができる。これにより、本発明の浴室暖房乾燥機の取付構造は、浴室天井１１の点検口１３からの、換気ユニット４の接続先までの距離が近くて、点検口１３からの、換気ユニット４の取り付けや、換気ユニット４のメンテナンスが行いやすくなっている。
【００５５】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００５６】
１      浴室
２      暖房乾燥機本体
３      接続具
４      換気ユニット
７      側面
１１    天井（浴室天井）
１３    点検口
１００  浴室暖房乾燥機
１１０  取付部
１１１  ドーム部
３００    第一接続面
３０１    第二接続面
【図１】
2015183949.tif 000003
【図２】
2015183949.tif 000004
【図３】
2015183949.tif 000005
【図４】
2015183949.tif 000006
【図５】
2015183949.tif 000007
【図６】
2015183949.tif 000008
【図７】
2015183949.tif 000009
【図８】
2015183949.tif 000010
【図９】
2015183949.tif 000011
【図１０】
2015183949.tif 000012